(57)【要約】【解決手段】配線ボックス１には、その配線ボックス１の裏壁２を切り起こすことにより、裏壁２に形成した貫通孔４と、貫通孔４に面して裏壁２から突出する膨出部５とを有する各挿通部３を設けている。各挿通部３の膨出部５の内側に形成した支持孔６に両支持バー１０を挿通した支持状態で、配線ボックス１が支持バー１０に対し支持バー１０の軸線１０ａ方向へ移動するのを規制するように引掛けられて当接する移動規制手段Ｍを備えているとともに、配線ボックス１が支持バー１０に対し支持バー１０の軸線１０ａ回りで回動するのを規制するように引掛けられて当接する回動規制手段Ｒを備えている。コンクリート構築物の支骨となる鉄筋に対し両支持バー１０の両端部を取着して配線ボックス１を支持する。【効果】配線ボックス１の動きを確実に規制して配線ボックス１を良好な状態で支持することができる。【選択図】図３
2005171665.tif 000002
【特許請求の範囲】
【請求項１】
金属からなるコンクリート埋設物を支持バーにより支持するコンクリート埋設物支持構造であって、
この支持バーの一端部と他端部との間に係合突部を設けるとともに、このコンクリート埋設物には、そのコンクリート埋設物の壁を切り起こすことにより、この壁に形成した貫通孔に面して壁から突出する膨出部を有する挿通部を設け、このコンクリート埋設物の挿通部の膨出部の内側に形成した支持孔には、この挿通部に挿通された支持バーの係合突部の全部または一部が挿入されてその係合突部が当接し得る被係合部を設け、この支持バーの係合突部に対するこのコンクリート埋設物の被係合部の係合により、このコンクリート埋設物がこの支持バーに対する挿通向きへ移動するのを規制するとともに、このコンクリート埋設物がこの支持バーに対し支持バーの軸線回りで回動するのを規制する
ことを特徴とするコンクリート埋設物支持構造。
【請求項２】
前記支持バーの一端部側がコンクリート埋設物から突出する寸法と、前記支持バーの他端部側がコンクリート埋設物から突出する寸法とを互いに等しくしたことを特徴とする請求項１に記載のコンクリート埋設物支持構造。
【請求項３】
前記コンクリート埋設物の挿通部において膨出部内の支持孔は支持バーが挿通し得る両側の開口を有し、この支持孔内の被係合部はこの両開口間に形成されていることを特徴とする請求項１または請求項２に記載のコンクリート埋設物支持構造。
【請求項４】
前記支持孔内の被係合部は、両開口のうち一方の開口側から他方の開口側に至るほど、両開口を結ぶ中心線に対し接近するように傾斜していることを特徴とする請求項３に記載のコンクリート埋設物支持構造。
【請求項５】
前記支持バーは前記膨出部の両開口に挿通し得る棒状部を主体とし、この支持バーの係合突部は、この棒状部から突出するように形成され、この両開口のうち一方の開口から挿入されて前記支持孔内の被係合部に当接し得ることを特徴とする請求項３または請求項４に記載のコンクリート埋設物支持構造。
【請求項６】
前記支持バーの係合突部は、前記棒状部を押し潰して成形した圧潰部に形成されていることを特徴とする請求項５に記載のコンクリート埋設物支持構造。
【請求項７】
前記支持バーはコンクリート構築物の支骨となる鉄筋に取着され、このコンクリート構築物を成形するための型枠に対しコンクリート埋設物を支持バーの弾性力により押圧したことを特徴とする請求項１から請求項６のうちいずれかの請求項に記載のコンクリート埋設物支持構造。
【請求項８】
支持バーにより支持される金属製のコンクリート埋設物であって、
壁が切り起こされることにより、この壁に形成した貫通孔に面して壁から突出する膨出部を有する挿通部を設け、この挿通部の膨出部の内側に形成した支持孔には、この挿通部に挿通された支持バーの両端部間に設けた係合突部の全部または一部が挿入されてその係合突部が当接し得る被係合部を設け、この支持バーの係合突部に対するこの挿通部の被係合部の係合により、この挿通部がこの支持バーに対する挿通向きへ移動するのを規制するとともに、この挿通部がこの支持バーに対し支持バーの軸線回りで回動するのを規制する
ことを特徴とするコンクリート埋設物。
【発明の詳細な説明】
【技術分野】
【０００１】
本発明は、コンクリート構築物の支骨となる鉄筋に取着した支持バーにコンクリート埋設物を支持するコンクリート埋設物支持構造、並びに、そのコンクリート埋設物に関するものである。
【背景技術】
【０００２】
下記特許文献１では、コンクリート埋設物であるボックス１０に各突起１１が切り起こされて形成され、それらの突起１１内に各線材２０が挿通され、それらの線材２０が鉄筋Ｓに固定されるとともに、このボックス１０が型枠Ｋに対し各線材２０の弾性力により押圧される。その際、ボックス１０が各線材２０の軸線回りで回動するのを規制するとともに軸線方向へ移動するのを規制するために、各突起１１を押し潰して各線材２０をかしめている。
【特許文献１】特開平３−１７３３１号公報
【発明の開示】
【発明が解決しようとする課題】
【０００３】
しかし、各突起１１を押し潰して各線材２０を十分な力でかしめる作業は大変面倒であった。このように単に各突起１１を押し潰して各線材２０をかしめるだけでは、各線材２０に対する各突起１１の緩みが生じ易く、しかも一般に各線材２０は回動し易い丸棒であるため、ボックス１０の動きを確実に規制することは難しく、コンクリートの打設圧に耐え得るだけの力でボックス１０を固定することはできなかった。
【０００４】
また、ボックス１０の各突起１１に各線材２０を挿通した状態で各線材２０の両側はボックス１０の両側から突出し、それらの突出寸法を互いに略等しくして、各線材２０を鉄筋Ｓに固定した際にボックス１０を良好な状態で支持し得るようにしている。ところが、ボックス１０が各線材２０の軸線方向へ不用意に移動すると、これらの突出寸法に差が生じたことに気付かないまま各線材２０を鉄筋Ｓに固定するおそれがあるため、ボックス１０を良好な状態で支持することが困難になるばかりではなく、たとえ突出寸法の差に気付いたとしてもこれらの突出寸法を互いに略等しくする調節作業も面倒であった。
【０００５】
さらに、ボックス１０が各線材２０の軸線回りで不用意に回動すると、ボックス１０の向きが傾いていることに気付かないまま各線材２０を鉄筋Ｓに固定するおそれがあるため、ボックス１０を良好な状態で支持することが困難になるばかりではなく、たとえボックス１０の傾斜に気付いたとしてもその向きをする調節作業も面倒であった。
【０００６】
この発明は、簡単な作業により金属製コンクリート埋設物を良好な状態で支持することができるコンクリート埋設物支持構造、並びに、簡単な作業により良好な状態で支持することができる金属製コンクリート埋設物を提供することを目的としている。
【課題を解決するための手段】
【０００７】
後記実施形態の図面（図１〜５）の符号を援用して本発明を説明する。
請求項１の発明にかかるコンクリート埋設物支持構造は下記のように構成されている。
このコンクリート埋設物支持構造においては、金属からなるコンクリート埋設物（例えば、配線ボックス１の場合、ボックス本体ばかりではなく、そのボックス本体に取り付けられるカバーや配線接続部材などの付属物も含む概念）を支持バー（１０）により支持する。この支持バー（１０）の一端部（１１）と他端部（１２）との間に係合突部（係合突起１５）を設けるとともに、このコンクリート埋設物（１）には、そのコンクリート埋設物（１）の壁（２）を切り起こすことにより、この壁（２）に形成した貫通孔（４）に面して壁（２）から突出する膨出部（５）を有する挿通部（３）を設けている。このコンクリート埋設物（１）の挿通部（３）の膨出部（５）の内側に形成した支持孔（６）には、この挿通部（３）に挿通された支持バー（１０）の係合突部（１５）の全部または一部が挿入されてその係合突部（１５）が当接し得る被係合部（被係合面９）を設けている。この支持バー（１０）の係合突部（１５）に対するこのコンクリート埋設物（１）の被係合部（９）の係合により、このコンクリート埋設物（１）がこの支持バー（１０）に対する挿通向き（ＸａまたはＸｂ）へ移動するのを移動規制手段（Ｍ）により規制するとともに、このコンクリート埋設物（１）がこの支持バー（１０）に対し支持バー（１０）の軸線（１０ａ）回りで回動するのを回動規制手段（Ｒ）により規制する。例えば、配線ボックス（１）の場合、後記実施形態のように裏壁（２）に各挿通部（３）を設けてもよいし、この裏壁（２）の外周全体に設けた周壁のうち相対向する両側壁にそれぞれ一対の挿通部（３）を設けて、その両側壁の両挿通部（３）にそれぞれ一本の支持バー（１０）を挿通してもよい。
【０００８】
請求項１の発明では、金属からなるコンクリート埋設物（１）に対し挿通部（３）を切り起こしにより容易に形成することができる。また、上記移動規制手段（Ｍ）や上記回動規制手段（Ｒ）により、支持バー（１０）に対しコンクリート埋設物（１）を正しい位置（前記係合突部としての係合突起１５と前記被係合部としての被係合面９とが互いに当接する位置）に積極的に設定して位置決めした状態のままで、支持バー（１０）を鉄筋(１９)に取着することができる。従って、コンクリート埋設物（１）の動きを確実に規制してコンクリート埋設物（１）を良好な状態で支持することができる。
【０００９】
請求項１の発明を前提とする請求項２の発明においては、前記支持バー（１０）の一端部（１１）側がコンクリート埋設物（１）から突出する寸法（Ｌ１１）と、前記支持バー（１０）の他端部（１２）側がコンクリート埋設物（１）から突出する寸法（Ｌ１２）とを互いに等しくした。請求項２の発明では、支持バー（１０）の両端部（１１，１２）を鉄筋(１９)に取着する際、コンクリート埋設物（１）を良好な状態で支持し易くなる。この場合、一端部（１１）側の寸法（Ｌ１１）と他端部（１２）側の寸法（Ｌ１２）とは完全に同一でなくてもよく、上記効果を奏する範囲で若干相違していてもよい。
【００１０】
請求項１または請求項２の発明を前提とする請求項３の発明において、前記コンクリート埋設物（１）の挿通部（３）で膨出部（５）内の支持孔（６）は支持バー（１０）が挿通し得る両側の開口（７，８）を有し、この支持孔（６）内の被係合部（９）はこの両開口（７，８）間に形成されている。その場合、被係合部（９）を両開口（７，８）間の全部に設けてもよいし一部に設けてもよい。例えば、コンクリート埋設物（１）は少なくとも一対の挿通部（３）を有し、その両挿通部（３）のうち一方の挿通部（３）から一本の支持バー（１０）を挿通する。この両挿通部（３）で両側の開口（７，８）は、大径開口（７）と小径開口（８）とを有し、それらの小径開口（８）が相対向し、それらの大径開口（７）のうちいずれかの大径開口（７）から一本の支持バー（１０）を挿通する。請求項３の発明では、挿通部（３）の被係合部（９）を簡単な構造にすることができる。
【００１１】
請求項３の発明を前提とする請求項４の発明において、前記支持孔（６）内の被係合部（９）は、両開口（７，８）のうち一方の開口（７）側から他方の開口（８）側に至るほど、両開口（７，８）を結ぶ中心線（６ａ）に対し接近するように傾斜している。その場合、傾斜状の被係合部（９）は、一方の開口（７）側の一端部と他方の開口（８）側の他端部とを結ぶ想定面や、その想定面に対し凹む凹面や、その想定面に対し膨らむ凸面や、その想定面に沿って並設した複数の係合段差部などが、全体として、一方の開口（７）側から他方の開口（８）側に至るほど両開口（７，８）を結ぶ中心線（６ａ）に対し接近するように傾斜しているものすべてを含む概念である。請求項４の発明では、被係合部（９）が傾斜しているので、支持バー（１０）の係合突部（１５）と挿通部（３）の膨出部（５）との間に製造誤差が生じても、支持バー（１０）の係合突部（１５）に挿通部（３）の被係合部（９）を確実に係合させて移動規制手段（Ｍ）や回動規制手段（Ｒ）として機能させることができる。従って、金属からなるコンクリート埋設物（１）に挿通部（３）を切り起こしにより形成する場合に適している。
【００１２】
請求項３または請求項４の発明を前提とする請求項５の発明において、前記支持バー（１０）は前記膨出部（５）の両開口（７，８）に挿通し得る棒状部（１３）を主体とし、この支持バー（１０）の係合突部（１５）は、この棒状部（１３）から突出するように形成され、この両開口（７，８）のうち一方の開口（７）から挿入されて前記支持孔（６）内の被係合部（９）に当接し得る。また、請求項５の発明を前提とする請求項６の発明において、前記支持バー（１０）の係合突部（１５）は、前記棒状部（１３）を押し潰して成形した圧潰部（１４）に形成されている。請求項５〜６の発明では、支持バー（１０）の係合突部（１５）を簡単な構造にすることができる。
【００１３】
請求項１から請求項６のうちいずれかの請求項の発明を前提とする請求項７の発明において、前記支持バー（１０）はコンクリート構築物の支骨となる鉄筋（１９）に取着され、このコンクリート構築物を成形するための型枠（２０）に対しコンクリート埋設物（１）を支持バー（１０）の弾性力により押圧した。請求項７の発明では、コンクリート埋設物（１）の動きをより一層確実に規制してコンクリート埋設物（１）を良好な状態で支持することができる。
【００１４】
請求項８の発明にかかるコンクリート埋設物（１）は下記のように構成されている。
支持バー（１０）により支持される金属製のコンクリート埋設物（１）であって、壁（２）が切り起こされることにより、この壁（２）に形成した貫通孔（４）に面して壁（２）から突出する膨出部（５）を有する挿通部（３）を設け、この挿通部（３）の膨出部（５）の内側に形成した支持孔（６）には、この挿通部（３）に挿通された支持バー（１０）の両端部（１１，１２）間に設けた係合突部（１５）の全部または一部が挿入されてその係合突部（１５）が当接し得る被係合部（９）を設け、この支持バー（１０）の係合突部（１５）に対するこの挿通部（３）の被係合部（９）の係合により、この挿通部（３
）がこの支持バー（１０）に対する挿通向き（ＸａまたはＸｂ）へ移動するのを移動規制手段（Ｍ）により規制するとともに、この挿通部（３）がこの支持バー（１０）に対し支持バー（１０）の軸線（１０ａ）回りで回動するのを回動規制手段（Ｒ）により規制する。請求項８の発明では、請求項１の発明と同様な効果を奏し得るコンクリート埋設物（１）を提供することができる。
【発明の効果】
【００１５】
本発明は、簡単な作業により金属製コンクリート埋設物（１）を良好な状態で支持することができるコンクリート埋設物支持構造、並びに、簡単な作業により良好な状態で支持することができる金属製コンクリート埋設物（１）を提供することができる。
【発明を実施するための最良の形態】
【００１６】
以下、本発明の一実施形態にかかるコンクリート埋設物及びその支持構造について図１〜５を参照して説明する。
図１で概略的に示すように、コンクリート埋設物としての配線ボックス１は金属からなり、その裏壁２で四隅部にはそれぞれ挿通部３が設けられている。図３に示すように、この各挿通部３は、この裏壁２を切り起こすことにより、裏壁２に形成された貫通孔４と、この貫通孔４に面して裏壁２から外側へ突出する膨出部５とを有している。この膨出部５は略半円筒状をなし、この膨出部５内には支持孔６が貫通孔４と連通するように形成されている。この支持孔６の両側は略半円状の開口７，８で横向きに開放され、この両開口７，８のうち一方の開口７の直径が他方の開口８の直径よりも大きくなっている。この両開口７，８間で膨出部５の内面には被係合面９（被係合部）が形成されている。この被係合面９は、両開口７，８のうち一方の開口７（大径開口）から他方の開口８（小径開口）に至るほど、両開口７，８を結ぶ中心線６ａに対し接近するようにテーパ状に傾斜している。各挿通部３のうち、上側の両挿通部３と下側の両挿通部３とにおいては、それぞれ、支持孔６の中心線６ａが互いに一致して横方向へ延び、直径の小さい小径開口８がこの中心線６ａの方向で相対向している。なお、図示しないが、上側の両挿通部３と下側の両挿通
部３とにおいては、それぞれ、両挿通部３を互いに分離することなくそれらの小径開口８を互いにつなぐように一連に形成してもよい。
【００１７】
また、図１に示すように、両端部１１，１２を有する支持バー１０は図２，３に示すように前記膨出部５で支持孔６の両開口７，８に対し共に挿通し得る棒状部１３（円形断面の丸棒）を主体とし、この棒状部１３の直径が前記小径開口８の直径よりも小さくなっている。この棒状部１３には支持バー１０の両端部１１，１２間で一つの圧潰部１４が押し潰されて板状に成形されている。この圧潰部１４において、厚さは棒状部１３の直径よりも小さくなっているが、逆に幅は棒状部１３の直径よりも大きくなっている。そのため、この圧潰部１４で幅方向の両側には係合突起１５（係合突部）が棒状部１３から突出するように形成されている。この両係合突起１５において棒状部１３の長手方向の両側で係合面１６（係合部）が形成されている。ちなみに、この圧潰部１４から支持バー１０の一端部１１までの距離は、この圧潰部１４から支持バー１０の他端部１２までの距離よりも、前記両挿通部３間の間隔だけ大きくなっている。
【００１８】
前記配線ボックス１の各挿通部３のうち、上側の両挿通部３と下側の両挿通部３とにおいて、それぞれ、図１に示すように前記支持バー１０を用意し、図２に示すようにこの支持バー１０の一端部１１側を一方の挿通部３で支持孔６に大径開口７から挿入する。なお、各支持バー１０は各挿通部３のうち任意の挿通部３の大径開口７から挿入してもよい。その支持バー１０の一端部１１側は、図３に示すように、一方の挿通部３で支持孔６の小径開口８から引き出され、他方の挿通部３で支持孔６に小径開口８から挿入されるとともに支持孔６の大径開口７から引き出される。この支持バー１０の圧潰部１４は一方の挿通部３で支持孔６に大径開口７から挿入される。この圧潰部１４で両係合突起１５の係合面１６は一方の挿通部３で膨出部５内の被係合面９に引掛けられて当接する。この係合面１６及び被係合面９（移動規制手段Ｍ及び回動規制手段Ｒ）が互いに当接する正位置では、支持バー１０の一端部１１側が挿通部３から横方向へ突出する寸法Ｌ１１と、支持バー１０の他端部１２側が挿通部３から横方向へ突出する寸法Ｌ１２とが互いに略等しくなる。
【００１９】
このようにして支持バー１０に対する配線ボックス１の位置を設定した後に、その設定位置を維持したまま、図４に示すように、支持バー１０の一端部１１側と他端部１２側とをそれぞれ折り曲げて折曲部１７，１８を形成し、支持バー１０に対し配線ボックス１を位置決めする。次に、この支持バー１０の一端部１１側と他端部１２側とをそれぞれ、コンクリート構築物の支骨となる鉄筋１９に対し締結索や溶接等により取着する。
【００２０】
このようにして配線ボックス１を支持バー１０により鉄筋１９に支持した支持状態では、前記挿通部３の被係合面９と前記支持バー１０の係合面１６との当接により、配線ボックス１が支持バー１０に対し支持バー１０の軸線１０ａの方向Ｘで挿通向きＸａまたはＸｂへ移動するのを規制するとともに支持バー１０の軸線１０ａ回りで回動するのを規制する。さらに、図５に示すように、コンクリート構築物を成形するための型枠２０に対し配線ボックス１を支持バー１０の弾性力により押圧する。その場合、型枠２０に接触する配線ボックス１の前面は、コンクリート打設後にコンクリート構築物から露出する。
【００２１】
図示しないが、前記各挿通部３の被係合面９の形態については、その被係合面９を膨出部５の内面で傾斜状に形成する以外に、支持バー１０の圧潰部１４の両係合突起１５が支持バー１０の軸線１０ａの方向へ相対移動するのを規制するとともに支持バー１０の軸線１０ａ回りで相対回動するのを規制するように段差状に形成してもよい。また、図示しないが、両支持バー１０の係合面１６の形態については、棒状部１３に圧潰部１４を形成する以外に棒状部１３に折曲部を段差状に形成し、その段差状折曲部に合わせて各挿通部３の膨出部５の内面も段差状に形成してもよい。さらに、図示しないが、支持バー１０の一端部１１側及び他端部１２側が挿通部３から縦方向へ突出するように、各挿通部３の開口７，８の向きを縦向きに変更してもよい。
【図面の簡単な説明】
【００２２】
【図１】（ａ）は本実施形態にかかるコンクリート埋設物支持構造において一つの配線ボックス及び二本の支持バーを互いに分解して示す斜視図であり、（ｂ）はこの配線ボックスの各挿通部のうち一つの挿通部を示す（ａ）の部分拡大斜視図であり、（ｃ）はこの両支持バーの圧潰部を示す（ａ）の部分拡大斜視図である。
【図２】（ａ）は図１（ａ）に示す配線ボックスと両支持バーとを互いに組み付けて示す斜視図であり、（ｂ）はこの配線ボックスの挿通部に対する支持バーの挿通状態を示す（ａ）の部分拡大斜視図である。
【図３】（ａ）は図２（ａ）を背面側から見た部分断面図であり、（ｂ）は（ａ）のＡ−Ａ線部分断面図であり、（ｃ）は（ａ）のＢ−Ｂ線部分断面図である。
【図４】本実施形態において配線ボックスを両支持バーにより鉄筋に支持した状態を示す部分斜視図である。
【図５】本実施形態において両支持バーにより鉄筋に支持した配線ボックスをコンクリート構築物内に埋設した状態を示す部分断面図である。
【符号の説明】
【００２３】
１…配線ボックス（コンクリート埋設物）、２…配線ボックスの裏壁、３…挿通部、４…貫通孔、５…膨出部、６…支持孔、６ａ…支持孔の中心線、７…開口、８…開口、９…挿通部の被係合面（移動規制手段及び回動規制手段の被係合部）、１０…支持バー、１０ａ…軸線、１１…支持バーの一端部、１２…支持バーの他端部、１３…棒状部、１４…圧潰部、１５…支持バーの係合突起（移動規制手段及び回動規制手段の係止部）、１９…鉄筋、２０…型枠、Ｍ…移動規制手段、Ｒ…回動規制手段、Ｘａ，Ｘｂ…挿通向き、Ｌ１１，Ｌ１２…寸法。
【図１】
2005171665.tif 000003
【図２】
2005171665.tif 000004
【図３】
2005171665.tif 000005
【図４】
2005171665.tif 000006
【図５】
2005171665.tif 000007